(57)【要約】【課題】データを測定して記憶したデータ測定装置から、複雑な操作を必要とせずに、測定データをデータ処理装置へ送信して処理させることが可能な、測定データ処理システムである。【解決手段】個人用測定器（１）をケーブル（３）に接続して電源スイッチ（１ａ）をＯＮにしたこと、あるいは、電源スイッチ（１ａ）がＯＮ状態の個人用測定器（１）をケーブル（３）でコンピュータ（２）に接続したことを契機として、コンピュータ（２）が、個人用測定器（１）に蓄積記憶されている測定データを取り込み、分析等の処理を行い、その処理結果をプリンタ（４）へ出力するという一連の処理を、自動的に実行する。【選択図】図１
2011120953.tif 000002
【特許請求の範囲】
【請求項１】
センサが取得した情報を蓄積可能な形式の測定データに変換して記憶するデータ測定装置と、前記データ測定装置から前記測定データを取り込んで処理し、処理結果を出力するデータ処理装置とを含む測定データ処理システムにおいて、
前記データ測定装置の電源が投入されたとき、前記データ処理装置と接続されているか否かを判断し、接続されていれば、前記データ処理装置が、前記データ測定装置の電源投入を契機として、前記データ測定装置からの前記測定データの取り込みを開始することを特徴とする測定データ処理システム。
【請求項２】
前記データ測定装置が、電源が投入されたとき、前記データ処理装置と接続されているか否かを判断し、接続されていれば動作モードをデータ送信モードに設定し、接続されていなければ前記動作モードをデータ測定モードに設定する請求項１に記載の測定データ処理システム。
【請求項３】
前記データ処理装置が、前記データ測定装置の電源投入を契機として、前記測定データの取り込みから処理結果の出力までの一連の処理を自動的に実行する請求項１に記載の測定データ処理システム。
【請求項４】
センサが取得した情報を蓄積可能な形式の測定データに変換して記憶するデータ測定装置と、前記データ測定装置から前記測定データを取り込んで処理し、処理結果を出力するデータ処理装置とを含む測定データ処理システムにおいて、
前記データ測定装置を前記データ処理装置に接続したことを契機として、前記データ処理装置が、前記データ測定装置からの前記測定データの取り込みを開始することを特徴とする測定データ処理システム。
【請求項５】
前記データ測定装置が、公衆通信網を介して前記データ処理装置に接続される請求項４に記載の測定データ処理システム。
【請求項６】
前記データ処理装置が、前記データ測定装置が接続されたことを契機として、前記測定データの取り込みから処理結果の出力までの一連の処理を自動的に実行する請求項４または５に記載の測定データ処理システム。
【請求項７】
前記データ処理装置からのデータ処理結果の出力先が、前記データ測定装置の使用者の受信装置である請求項５または６に記載の測定データ処理システム。
【請求項８】
センサが取得した情報を蓄積可能な形式の測定データに変換して記憶すると共に、前記測定データをデータ処理装置へ送信するデータ測定装置であって、
電源が投入されたときデータ処理装置と接続されているか否かを判断するインタフェース部と、
接続されていれば動作モードをデータ送信モードに設定し、接続されていなければ前記動作モードをデータ測定モードに設定する動作制御部とを備え、
前記データ送信モードにおいては、前記データ処理装置に接続したことを契機として、前記データ処理装置へ前記測定データ送信を開始することを特徴とするデータ測定装置。
【請求項９】
センサが取得した情報を蓄積可能な形式の測定データに変換して記憶すると共に、前記測定データをデータ処理装置へ送信するデータ測定装置であって、
データ処理装置と接続されているか否かを判断するインタフェース部と、
前記インタフェース部がデータ処理装置と接続されたことを検知したとき動作モードをデータ送信モードに設定し、接続されていなければ前記動作モードをデータ測定モードに設定する動作制御部とを備え、
前記データ送信モードにおいては、前記データ処理装置に接続したことを契機として、前記データ処理装置へ前記測定データ送信を開始することを特徴とするデータ測定装置。
【請求項１０】
センサが取得した情報を蓄積可能な形式の測定データに変換して記憶したデータ測定装置から前記測定データを受信して処理するデータ処理装置であって、
前記データ測定装置が接続された後、前記データ測定装置から所定の信号を受信することにより、前記データ測定装置の電源投入を検知するインタフェース部と、
前記データ測定装置の電源投入を検知したことを契機として前記データ測定装置から前記測定データの取り込みを開始するデータ処理部とを備えたことを特徴とするデータ処理装置。
【請求項１１】
センサが取得した情報を蓄積可能な形式の測定データに変換して記憶したデータ測定装置から測定データを受信して処理するデータ処理装置であって、
前記データ測定装置が接続されたことを、前記データ測定装置から所定の信号を受信することにより検知するインタフェース部と、
前記データ測定装置が接続されたことを契機として前記データ測定装置から前記測定データの取り込みを開始するデータ処理部とを備えたことを特徴とするデータ処理装置。
【請求項１２】
センサが取得した情報を蓄積可能な形式の測定データに変換して記憶したデータ測定装置がコンピュータに接続された後、前記データ測定装置から所定の信号を受信することにより前記データ測定装置の電源投入を検知する処理、
前記データ測定装置の電源投入を検知したことを契機として前記データ測定装置から前記データの取り込みを開始する処理、
取り込んだデータの処理、
処理結果を出力する処理、をコンピュータに実行させるためのプログラムを記録したコンピュータ読み取り可能な記録媒体。
【請求項１３】
センサが取得した情報を蓄積可能な形式の測定データに変換して記憶したデータ測定装置がコンピュータに接続されたことを、前記データ測定装置から所定の信号を受信することにより検知する処理、
前記データ測定装置が接続されたことを契機として前記データ測定装置から前記データの取り込みを開始する処理、
取り込んだデータの処理、
処理結果を出力する処理、をコンピュータに実行させるためのプログラムを記録したコンピュータ読み取り可能な記録媒体。
【発明の詳細な説明】
【技術分野】
【０００１】
本発明は、測定対象からデータを測定して蓄積するデータ測定装置と、この測定器に蓄積されたデータを取り込んで処理するデータ処理装置とを含み、集計、分析、または印刷等の種々のデータ処理を行う測定データ処理システムに関する。
【背景技術】
【０００２】
従来、医療機関外において患者が種々のデータを自己測定することができる個人用測定装置（例えば、心電図計、血圧計、血糖値計、尿分析装置等）が知られている。また、個人用測定装置が内蔵する記憶媒体に、患者が自己測定したデータを蓄積し、医療機関等に設置したパソコン等により、前記記憶媒体から蓄積データを読み出して分析処理するシステムも知られている。このようなシステムによれば、患者が個人用測定装置を用いて自己測定したデータに基づいて、医師等が治療や生活指導を行うことが可能である。
【発明の概要】
【発明が解決しようとする課題】
【０００３】
このような従来のシステムでは、個人用測定装置に蓄積されたデータの分析処理を行う場合には、あらかじめパソコンを立ち上げて当該データの処理ソフトを起動させておき、このパソコンに患者の個人用測定装置を接続した後、（１）蓄積データを個人用測定装置からパソコンへ読み出すためにパソコンを受信モードに設定する、（２）個人用測定装置からパソコンへデータを送信させる、（３）パソコン側でデータ受信が正常に行われたことを確認する、（４）データ処理を行い、その結果を表示させる、（５）印刷させる、（６）データ処理プログラムを終了させる、等の一連のパソコン操作を行う必要があり、操作が煩わしいという問題がある。
【０００４】
また、医師等の診察を必要とせず、患者が自己管理等の目的のために、データの分析結果を印刷出力させたいという場合もある。このような場合、データの読み出しから分析結果の印刷出力までを、医療機関のスタッフの手を煩わさずに患者自身が行うことができればよいが、個人用測定装置を所持する患者の中には、当然ながらパソコン操作に不慣れな者も存在し、現実的には不可能であった。
【課題を解決するための手段】
【０００５】
本発明は上記の問題を解決するために、個人用測定装置をパソコン等のデータ処理装置に接続して電源投入する、あるいは電源投入した後の個人用測定装置をデータ処理装置に接続する、という簡単な操作を行うだけで、個人用測定装置に蓄積された測定データをデータ処理装置に自動的に取り込んで処理を開始する測定データ処理システムを提供することを目的とする。
【０００６】
上記の目的を達成するために、本発明にかかる第１の測定データ処理システムは、データを測定して記憶するデータ測定装置と、前記データ測定装置から前記データを取り込んで処理し、処理結果を出力するデータ処理装置とを含む測定データ処理システムにおいて、前記データ測定装置を前記データ処理装置に接続した後、前記データ処理装置が、前記データ測定装置の電源投入を契機として、前記データ測定装置からの前記データの取り込みを開始することを特徴とする。
【０００７】
これにより、コンピュータ等の操作に不慣れな使用者であっても、データ測定装置をデータ処理装置に接続して電源を投入するという簡単な操作を行うだけで、測定データを処理した結果を容易に入手することが可能な測定データ処理システムを提供できる。
【０００８】
前記第１の測定データ処理システムにおいて、前記データ測定装置が、電源が投入されたとき、前記データ処理装置と接続されているか否かを判断し、接続されていれば動作モードをデータ送信モードに設定し、接続されていなければ前記動作モードをデータ測定モードに設定することが好ましい。
【０００９】
これにより、データ測定装置の使用者は動作モードの切り替えを行う必要がないので、操作の手間が省ける上に、操作ミスも防止できるという利点がある。
【００１０】
前記第１の測定データ処理システムにおいて、前記データ処理装置が、前記データ測定装置の電源投入を契機として、データの取り込みから処理結果の出力までの一連の処理を自動的に実行することが好ましい。
【００１１】
これにより、コンピュータ等の操作が全くできない使用者であっても、データ測定装置を接続して電源を投入するという簡単な操作を行うだけで、測定データを処理した結果を容易に入手することが可能な測定データ処理システムを提供できる。
【００１２】
また、上記の目的を達成するために、本発明にかかる第２の測定データ処理システムは、データを測定して記憶するデータ測定装置と、前記データ測定装置から前記データを取り込んで処理し、処理結果を出力するデータ処理装置とを含む測定データ処理システムにおいて、前記データ測定装置を前記データ処理装置に接続したことを契機として、前記データ処理装置が、前記データ測定装置からのデータの取り込みを開始することを特徴とする。
【００１３】
この構成によれば、コンピュータ等の操作に不慣れな使用者であっても、データ測定装置をデータ処理装置に接続するだけで、測定データを処理した結果を容易に入手することが可能な測定データ処理システムを提供できる。
【００１４】
前記第２の測定データ処理システムにおいて、前記データ処理装置が、前記データ測定装置が接続されたことを契機として、データの取り込みから処理結果の出力までの一連の処理を自動的に実行することが好ましい。これにより、コンピュータ等の操作に不慣れな使用者であっても、データ測定装置を接続するだけで、測定データを処理した結果を容易に入手することができる。
【００１５】
また、前記第２の測定データ処理システムにおいて、前記データ測定装置が、公衆通信網を介して前記データ処理装置に接続されることが好ましい。これにより、データ測定装置の使用者は、データ処理装置が設置されている場所へ出向かなくても、遠隔地から電話網等の公衆通信網を通じて、前記データ処理装置へ測定データを送信して処理させることが可能となる。
【００１６】
さらに、前記データ処理装置からのデータ処理結果の出力先が、前記データ測定装置の使用者の受信装置であることが好ましい。この受信装置としては、使用者宅のファクシミリ受信装置やパーソナルコンピュータ、あるいは使用者の携帯電話等の携帯端末装置を用いることが可能である。これにより、データ測定装置の使用者は、データ処理装置のある場所に行かなくても、自宅に居ながらあるいは任意の外出先で、測定データの処理結果を入手することができる。
【００１７】
また、上記の目的を達成するために、本発明にかかる第１のデータ測定装置は、データを測定して記憶すると共に、前記データをデータ処理装置へ送信するデータ測定装置であって、電源が投入されたときデータ処理装置と接続されているか否かを判断するインタフェース部と、接続されていれば動作モードをデータ送信モードに設定し、接続されていなければ前記動作モードをデータ測定モードに設定する動作制御部とを備えたことを特徴とする。
【００１８】
また、第２のデータ測定装置は、データを測定して記憶すると共に、前記データをデータ処理装置へ送信するデータ測定装置であって、データ処理装置と接続されているか否かを判断するインタフェース部と、前記インタフェース部がデータ処理装置と接続されたことを検知したとき動作モードをデータ送信モードに設定し、接続されていなければ前記動作モードをデータ測定モードに設定する動作制御部とを備えたことを特徴とする。
【００１９】
これらの構成により、使用者が動作モードの切り替え等の複雑な操作を行わなくてもデータ処理装置へのデータ送信が可能なデータ測定装置を提供できる。
【００２０】
また、上記の目的を達成するために、本発明にかかる第１のデータ処理装置は、データを測定して記憶したデータ測定装置からデータを受信して処理するデータ処理装置であって、前記データ測定装置が接続された後、前記データ測定装置から所定の信号を受信することにより、前記データ測定装置の電源投入を検知するインタフェース部と、前記データ測定装置の電源投入を検知したことを契機として前記データ測定装置から前記データの取り込みを開始するデータ処理部とを備えたことを特徴とする。
【００２１】
また、本発明にかかる第２のデータ処理装置は、データを測定して記憶したデータ測定装置からデータを受信して処理するデータ処理装置であって、前記データ測定装置が接続されたことを、前記データ測定装置から所定の信号を受信することにより検知するインタフェース部と、前記データ測定装置が接続されたことを契機として前記データ測定装置から前記データの取り込みを開始するデータ処理部とを備えたことを特徴とする。
【００２２】
これらの構成により、コンピュータ等の操作に不慣れな使用者であっても、データ測定装置を接続して電源を投入するという簡単な操作を行うだけで、測定データを処理した結果を容易に入手することが可能なデータ処理装置を提供できる。
【００２３】
また、本発明にかかる第１のプログラム記録媒体は、データを測定して記憶したデータ測定装置がコンピュータに接続された後、前記データ測定装置から所定の信号を受信することにより前記データ測定装置の電源投入を検知する処理、前記データ測定装置の電源投入を検知したことを契機として前記データ測定装置から前記データの取り込みを開始する処理、取り込んだデータの処理、処理結果を出力する処理、をコンピュータに実行させるためのプログラムを記録したことを特徴とする。
【００２４】
また、本発明にかかる第２のプログラム記録媒体は、データを測定して記憶したデータ測定装置がコンピュータに接続されたことを、前記データ測定装置から所定の信号を受信することにより検知する処理、前記データ測定装置が接続されたことを契機として前記データ測定装置から前記データの取り込みを開始する処理、取り込んだデータの処理、処理結果を出力する処理、をコンピュータに実行させるためのプログラムを記録したことを特徴とする。
【００２５】
これらの記録媒体からコンピュータにプログラムを読み取らせることにより、コンピュータ操作に不慣れな使用者であっても、データ測定装置をコンピュータに接続して電源を投入するという簡単な操作を行うだけで、測定データをコンピュータで処理した結果を容易に入手することが可能なシステムが実現できる。
【図面の簡単な説明】
【００２６】
【図１】図１は、本発明の一実施形態にかかる測定データ処理システムの概略構成を示す模式図である。
【図２】図２は、前記測定データ処理システムに含まれる個入用測定器の構成を示すブロック図である。
【図３】図３は、前記測定データ処理システムに含まれるコンピュータの機能ブロックを示すブロック図である。
【図４】図４は、前記個人用測定器およびコンピュータの動作手順を示すフローチャートである。
【発明を実施するための形態】
【００２７】
以下、本発明の一実施形態について、図面を参照しながら説明する。
【００２８】
図１に、本実施形態にかかる測定データ処理システムの概略構成を示す。本データ処理システムは、個人用測定器１と、個人用測定器１からデータを読み出して集計、分析等の処理を行うデータ処理装置としてのコンピュータ２と、データ読み出しの際に個人用測定器１とコンピュータ２とを接続するためのケーブル３と、必要に応じて、コンピュータ２でデータ処理を行った結果を印刷出力するプリンタ４や、その他の周辺機器を含む。
【００２９】
個人用測定器１は、患者等が所持して使用するものであり、医療機関外でのデータの自己測定に使用される。本実施形態では、個人用測定器１は、コンピュータ２に接続されていない状態（オフライン状態）で測定を行い、測定データは、内蔵する記憶媒体（後述）に記憶される。コンピュータ２およびプリンタ４は、医療機関等に設置されている。個人用測定器１の使用者は、この医療機関等に個人用測定器１を持参し、コンピュータ２に個人用測定器１を接続し、記憶されているデータを読み取らせる。コンピュータ２は、個人用測定器１から読み取ったデータを分析処理し、その処理結果をコンピュータ２のディスプレイ２ａに表示したり、プリンタ４へ印刷出力する。
【００３０】
なお、本データ処理システムでは、個人用測定器１からコンピュータ２へのデータの読み出しから、分析処理結果の出力までの一連の処理が、個人用測定器１をケーブル３でコンピュータ２に接続した後に電源スイッチ１ａをＯＮにするだけの、非常に簡単な操作で実行される。
【００３１】
以下、本データ処理システムの各部の構成およびその動作について、さらに詳細に説明する。
【００３２】
まず、個人用測定器１の構成について説明する。図２は、個人用測定器１の内部構成を示すブロック図である。個人用測定器１は、センサ部１１、データ生成部１２、メモリ１３、時計１４、電源部１５、インタフェース部１６、ＩＤ保持部１７、および制御部１８を備える。
【００３３】
センサ部１１は、個人用測定器１の用途に応じたセンサを有する。すなわち、個人用測定器１は、その性質上、扱うデータが特定されて構成されるものであり、例えば、その用途が心電図計である場合には、センサ部１１には、患者の胸部や手足に接触させて活動電位を導出する電極が設けられる。この他に、個人用測定器１の用途が血圧計である場合は、圧力センサがセンサ部１１に設けられる。また、個人用測定器１の用途が血糖値計である場合は、患者が指先等から採取した微量な血液を付着させた試験紙から、電気的または光学的に血糖値を測定するセンサが、センサ部１１に設けられる。なお、個人用測定器１の用途が、上記の心電図計、血圧計、および血糖値計のみに限定されるものではないことは言うまでもない。
【００３４】
データ生成部１２は、センサ部１１が取得した情報を、個人用測定器１に蓄積可能な形式のデータに変換し、時計１４から得たデータ測定日時の情報を付けて、メモリ１３に記憶させる。電源部１５は電池を含み、これにより、個人用測定器１はＡＣ電源に接続しなくても使用可能である。
【００３５】
インタフェース部１６は、所定の通信プロトコルに従い、ケーブル３を介して、コンピュータ２との間で、データや各種制御信号等の送受信を行う。ＩＤ保持部１７は、個人用測定器１の各々に固有に割り当てられているＩＤ番号を記憶している。制御部１８は、個人用測定器１の全体動作を制御する。
【００３６】
次に、コンピュータ２の構成について説明する。コンピュータ２は、ディスプレイ、ハードディスク、ＣＰＵ、およびメモリ等の周知のハードウェアから構成され、個人用測定器１からデータを読み出して処理するソフトウェア（以降、データ処理プログラムと称する）がインストールされている。
【００３７】
このハードウェアとソフトウェアとの組み合わせによって実現されるコンピュータ２の機能ブロックを、図３に示す。コンピュータ２は、データ処理部２１、インタフェース部２２、受信用メモリ２３、表示部２４、データ記憶部２５、制御部２６、使用者情報記憶部２７、および使用者情報処理部２８を有する。
【００３８】
データ処理部２１は、個人用測定器１から読み出したデータを入力し、データの編集、平均値の算出等の統計処理、分析処理、データ形式の変換、またはグラフ化等の種々の処理を行う。どのような処理を行うかは、あらかじめ設定しておいても良いし、個人用測定器１からのデータ読み込み後に選択させるようにしても良い。
【００３９】
インタフェース部２２は、所定の通信プロトコルに従い、ケーブル３を介して、個人用測定器１との間で、データや各種制御信号等の送受信を行う。受信用メモリ２３は、個人用測定器１から受信したデータを一時的に格納するバッファとして機能する。表示部２４は、データ処理部２１の処理結果をディスプレイ２ａに表示する。データ記憶部２５は、個人用測定器１から読み出したデータやシステム設定に関する種々のデータ等を記憶する。使用者情報記憶部２７は、個人用測定器１に割り当てられているＩＤ番号に対応づけて、各個人用測定器１を所持している患者（使用者）についての、氏名、性別、および年齢等の使用者情報を記憶する。なお、データ記憶部２５および使用者情報記憶部２７は、ハードウェア的には必ずしもコンピュータ２に内蔵される必要はなく、コンピュータ２の外部デバイスとして実現することも可能である。制御部２６は、コンピュータ２の全体動作を制御する。
【００４０】
また、コンピュータ２は、インタフェース部２２に、ケーブル３を接続するためのポートを有する。従って、ケーブル３の一端は、コンピュータ２の上記ポートに適合した端子形状を持ち、他端が、個人用測定器１のインタフェース部１６に適合した端子形状を持つ。
【００４１】
一般的に、コンピュータは複数の外部インタフェースを有するので、外部インタフェースから入力されるデータを処理するソフトウェアは、データの入力経路を認識する必要がある。すなわち、本実施形態のデータ処理プログラムの場合も、コンピュータ２が複数のポートを有する場合は、ケーブル３が接続されたポートをデータの入力元として認識させる設定を行うことが必要となる。
【００４２】
なお、この設定は、データ処理プログラムをインストールしてケーブル３を接続するときに初期設定として行えば、設定した内容がコンピュータ２の不揮発メモリ（例えばデータ記憶部２５）に記憶される。このため、一旦初期設定を行った後は、ケーブル３を接続するポートを変更したり、データ処理プログラムの再インストールを行ったりしない限り、ポートの設定を再度行う必要はない。
【００４３】
以下、本データ処理システムの動作について用いて説明する。図４は、個人用測定器１およびコンピュータ２の動作手順を示すフローチャートである。
【００４４】
個人用測定器１の制御部１８は、電源スイッチ１ａを押すことにより電源が投入されると、コンピュータ２に接続されているか否かを判断し（ステップＳ１）、接続されていなければデータ測定モード（ステップＳ２）、接続されていればデータ送信モード（ステップＳ３）で動作する。
【００４５】
ステップＳ１において、コンピュータ２に接続されているか否かの判断は、下記のように行う。制御部１８は、電源が投入されると、インタフェース部１６に指示することにより、所定の通信プロトコルに従った接続要求信号をコンピュータ２へ送信する。インタフェース部１６は、所定の時間が経過した後、この接続要求信号に対する応答がコンピュータ２から返ってこなければ、接続要求信号を再度送信する。このように、接続要求信号の送信と応答待ちとを所定の回数繰り返した後もコンピュータ２から応答がなければ、制御部１８は、コンピュータ２に接続されていないものと判断する。
【００４６】
ステップＳ１において個人用測定器１がコンピュータ２に接続されていないと判断され、動作モードがデータ測定モードに設定された場合、個人用測定器１は、制御部１８による制御の下で、センサ部１１が取得した情報をデータ生成部１２により所定のデータ形式に変換し、このデータを測定した日時情報（時計１４から取得）と共に、メモリ１３に記憶する（ステップＳ２）。その後、電源断により（ステップＳ４）により、データ測定モードによる動作は終了する。
【００４７】
一方、ステップＳ１において個人用測定器１がコンピュータ２に接続されていると判断され、動作モードがデータ送信モードに設定された場合は、個人用測定器１は、制御部１８による制御の下で、メモリ１３に蓄積記憶されているデータをコンピュータ２に送信する処理を行う（ステップＳ３）。
【００４８】
なお、ここでは、コンピュータ２の所定のポートにケーブル３が予め接続されており、コンピュータ２上でデータ処理プログラムが起動されており、前記データ処理プログラムに、ケーブル３が接続されたポートをデータの入力元として認識させるための設定も済んでいるものとする。
【００４９】
コンピュータ２のインタフェース部２２は、前述したように、個人用測定器１から受け取った接続要求信号に対して所定の応答を返した後、データ受信準備を行い、準備が整うと、所定のデータ要求信号を個人用測定器１へ送出する（ステップＳ１１）。
【００５０】
個人用測定器１は、データ要求信号を受け取ると、ＩＤ保持部１７に記憶されているＩＤ番号と、メモリ１３に記憶されているデータとを順次読み出し、インタフェース部１６およびケーブル３を介して、コンピュータ２へ送信する。個人用測定器１は、ＩＤ番号とメモリ１３に記憶されているデータとの送信が終了すると、データ終了信号を送信する。
【００５１】
一方、コンピュータ２は、ケーブル３を介して、個人用測定器１から送られてくるデータを受信する（ステップＳ１２）。受信されたデータは、受信用メモリ２３に一時的に格納される。コンピュータ２は、個人用測定器１から前記のデータ終了信号を受け取ると、データ受信を終了し、表示部２４が、受信が完了したので個人用測定器１をケーブル３から取り外すよう使用者に指示するメッセージ（受信完了メッセージ）をディスプレイ２ａへ出力する（ステップＳ１３）。ケーブル３から取り外された個人用測定器１は、電源断（ステップＳ４）により、データ送信モードによる動作を終了する。
【００５２】
次に、コンピュータ２の制御部２６は、使用者情報処理部２８に指示し、個人用測定器１から受信したＩＤ番号を受信用メモリ２３から取り出し、このＩＤ番号が使用者情報と共に使用者情報記憶部２７に既に登録されているかを調べる（ステップＳ１４）。登録されていなければ、表示部２４が使用者情報の登録画面をディスプレイ２ａに表示し、氏名等の使用者情報を使用者に入力させる。入力された使用者情報は、上記のＩＤ番号と対応づけられて使用者情報記憶部２７に登録される（ステップＳ１５）。
【００５３】
続いて、データ処理部２１が、受信用メモリ２３からデータを取り出して処理し、その処理結果を表示部２４に送り、コンピュータ２のディスプレイ２ａに表示させると共に、プリンタ４に印字出力させる（ステップＳ１６）。このとき、表示部２４が終了確認メッセージをディスプレイ２ａに表示し、使用者がこのメッセージに応答入力すると、制御部２６が、データ処理部２１による処理結果をコンピュータ２のデータ記憶部２５に記憶させ（ステップＳ１７）、処理を終了する。
【００５４】
以上のように、本データ処理システムによれば、使用者が個人用測定器１をケーブル３に接続して電源スイッチ１ａを押して電源投入するという簡単な操作を行うだけで、自動的に測定データがコンピュータ２へ送信され、処理結果がプリンタ４に印字出力される。これにより、コンピュータ操作に不慣れな患者でも、必要とする処理結果を容易に入手することが可能となる。また、医療機関側にとっても、コンピュータ２を立ち上げてデータ処理プログラムを起動しておくだけで、複数の個人用測定器１からデータを次々に収集して処理結果を得ることができるので、省力化が図れる。
【００５５】
また、上記の説明では、個人用測定器１からの測定データの取り込みを、個人用測定器１の電源投入を契機として開始する例を示したが、この他に、個人用測定器１の電源投入後にこの個人用測定器１をコンピュータ２に接続する場合には、個人用測定器１とコンピュータ２との接続を契機として、測定データの取り込みを開始するようにしてもよい。
【００５６】
また、個人用測定器１とコンピュータ２との接続は、ケーブル３による有線での接続に限らず、赤外線や電波による無線通信でもよい。さらに、個人用測定器１とコンピュータ２との接続は直接接続に限定されず、電話網等の公衆通信網を介してもよい。この場合、個人用測定器１およびコンピュータ２は、モデム（内蔵または外付け）を介して公衆通信網に接続される。これにより、個人用測定器１の使用者は、医療機関へ出向かなくても、遠隔地から電話網等を通じて医療機関等のコンピュータ２へ測定データを送信することが可能となる。
【００５７】
この場合には、コンピュータ２は、個人用測定器１が公衆通信網を介して接続されたことを契機として、データ取り込みから処理結果の出力までの一連の処理を自動的に実行し、その処理結果を、個人用測定器１の使用者宅のファクシミリ受信装置へ出力する。
【００５８】
すなわち、コンピュータ２の使用者情報記憶部２７に使用者宅のファクシミリ受信装置の電話番号を登録しておけば、コンピュータ２が、モデムおよび電話網を通じて、ファクシミリ受信装置へ処理結果を出力する。これにより、個人用測定器１の使用者は、自宅に居ながら、測定データの処理結果を入手することができる。
【００５９】
なお、処理結果の出力先は、ファクシミリ受信装置に限らず、使用者の携帯電話等の携帯端末装置や、パーソナルコンピュータ等であってもよい。
【００６０】
また、本発明のデータ測定装置および測定データ処理システムは、医療機関で使用されるものに限定されず、データの測定および記憶を行うデータ測定装置と、そのデータを取り込んで処理するデータ処理装置との組み合わせからなるシステムであれば、適用分野は任意である。
【産業上の利用可能性】
【００６１】
以上に説明したように、本発明によれば、個人用測定器をケーブルに接続して電源を投入するという簡単な操作を行うだけで、測定データをコンピュータへ送信して処理させた結果を容易に入手することが可能な測定データ処理システムを提供できる。
【図１】
2011120953.tif 000003
【図２】
2011120953.tif 000004
【図３】
2011120953.tif 000005
【図４】
2011120953.tif 000006